(57)【要約】      （修正有）【課題】片手で容易にトイレットペーパーを引出し切断することができ、更に片手で簡単にトイレットペーパーを設置交換することができるトイレットペーパーホルダーの提供。【解決手段】正面に取出孔２ｂを穿設し正面先端部に切断刃２ｃを形成したＵ字型枠体２ａからなる収納部２と、前記収納部の両側面に取り付けられ上辺に差込孔４ｆ、５ｆを穿設した突出部４ｂ、５ｂと左右凹部４ｃ、５ｃを形成した左右枠体４，５と、前面部３ｂが下方に向かって傾斜し背面側左右側面に突起３ｄを形成した連結部３ｃを備え突起３ｄを前記左右枠体４，５の差込孔４ｆ、５ｆと連結することにより左右枠体４，５に取り付けられる蓋部３とからなることを特徴とするトイレットペーパーホルダー１とした。【選択図】  図１
2007160070.tif 000002
【特許請求の範囲】
【請求項１】
正面に取出孔を穿設し正面先端部に切断刃を形成したＵ字型枠体からなる収納部と、前記収納部の両側面に取り付けられ上辺に差込孔を穿設した突出部と左右凹部を形成した左右枠体と、前面部が下方に向かって傾斜し背面側左右側面に突起を形成した連結部を備え突起を前記左右枠体の差込孔と連結することにより左右枠体に取り付けられる蓋部とからなることを特徴とするトイレットペーパーホルダー。
【請求項２】
下方に向かって傾斜した前面部の左右側面に左右張り出し部を備えた蓋部とからなることを特徴とする請求項１に記載のトイレットペーパーホルダー。
【請求項３】
底面部が湾曲し正面の先端部に切断刃を備え左右側面に差込孔を穿設した左右突出部を備えた箱形の収納部と、前面部が下方に向かって傾斜し上面には載置部を形成し背面側左右側面に突起を形成した連結部を備え突起を前記左右側面の差込孔と連結することにより左右側面に取り付けられる蓋部とからなることを特徴とする請求項１又は請求項２トイレットペーパーホルダー。
【請求項４】
収納部の底面に平板状の土台を取り付けたことを特徴とする請求項１乃至請求項３に記載のトイレットペーパーホルダー。
【請求項５】
上部に貼付部を備え中央に凹部を形成した制御片を取出孔に備えたことを特徴とする請求項１乃至請求項４に記載のトイレットペーパーホルダー。
【請求項６】
起立部及び起立部と直角に連設した水平部からなるＬ字板と、前記起立部の上部に取り付ける請求項１乃至請求項５に記載のトイレットペーパーホルダーと、前記水平部に取り付ける引出部を備えた箱とからなることを特徴とするトイレットペーパーホルダー。
【発明の詳細な説明】
【技術分野】
【０００１】
本発明は、ロール型のトイレットペーパーを保持するトイレットペーパーホルダーに関する発明である。
【背景技術】
【０００２】
従来、ロール型のトイレットペーパーは中央の芯の部分にホルダーの取付棒を挿入しトイレットペーパー自体が回動するように保持され、トイレットペーパーの上に先端が歯型になったカバーを乗せて設置し、トイレットペーパーを切断する際はカバーを押さえてカバーの先端の歯でトイレットペーパーを切断する方法をとっていた。
【０００３】
しかしながら、従来のトイレットペーパーホルダーでは、カバーを押さえる手とカバーの先端の歯に当ててトイレットペーパーを切断するために巻き出したトイレットペーパーを上方に引き上げる手との両手を使用しなければならず、通常側壁面に取り付けられているトイレットペーパーを両手を使用して取るには体をひねらせなければならず不便であった。
【０００４】
また、病気や怪我などで片方の手が不自由な場合に容易にトイレットペーパーを引出して切断することができる片手用のトイレットペーパーホルダーが存在するが、トイレットペーパーの設置や取り替えには両手を使用しなければならず、十分なものではなかった。
【特許文献１】特開平０７−１７１０６７号公報
【特許文献２】特開２０００−１５７４４６号公報
【発明の開示】
【発明が解決しようとする課題】
【０００５】
そこで、本発明は、片手で容易にトイレットペーパーを引出し切断することができ、更に片手で簡単にトイレットペーパーを設置交換することができるトイレットペーパーホルダーを提供することを目的とするものである。
【課題を解決するための手段】
【０００６】
本発明は、上記の課題を解決するために、正面に取出孔２ｂを穿設し正面先端部に切断刃２ｃを形成したＵ字型枠体２ａからなる収納部２と、前記収納部２の両側面に取り付けられ上辺に差込孔４ｆ、５ｆを穿設した突出部４ｂ、５ｂと左右凹部４ｃ、５ｃを形成した左右枠体４、５と、前面部３ｂが下方に向かって傾斜し背面側左右側面に突起３ｄを形成した連結部３ｃを備え突起３ｄを前記左右枠体４、５の差込孔４ｆ、５ｆと連結することにより左右枠体４、５に取り付けられる蓋部３とからなることを特徴とするトイレットペーパーホルダー１と、下方に向かって傾斜した前面部３ｂの左右側面に左右張り出し部３ｅ、３ｆを備えた蓋部３とからなることを特徴とするトイレットペーパーホルダー１ａと、底面部が湾曲し正面８ａの先端部に切断刃８ｍを備え左右側面８ｃ、８ｄに差込孔８ｋを穿設した左右突出部８ｅ、８ｆを備えた箱形の収納部８と、前面部３ｂが下方に向かって傾斜し上面には載置部３ｇを形成し背面側左右側面に突起３ｄを形成した連結部３ｃを備え突起３ｄを前記左右側面８ｅ、８ｆの差込孔８ｋと連結することにより左右側面８ｅ、８ｆに取り付けられる蓋部３とからなることを特徴とするトイレットペーパーホルダー１ｂと、収納部８の底面に平板状の載置板９を取り付けたことを特徴とするトイレットペーパーホルダー１ｃと、
上部に貼付部１０ｂを備え中央に凹部１０ａを形成した制御片１０を取出孔２ｂ、８ｈに備えたことを特徴とするトイレットペーパーホルダー１ｄと、
起立部１１ｂ及び起立部１１ｂと直角に連設した水平部１１ｃからなるＬ字板１１と、前記起立部１１ｂの上部に取り付ける請求項１乃至請求項５に記載のトイレットペーパーホルダー１、１ａ、１ｂ、１ｃ、１ｄと、前記水平部１１ｃに取り付ける引出部１２ａを備えた箱１２とからなることを特徴とするトイレットペーパーホルダー１ｅの構成とした。
【発明の効果】
【０００７】
本発明のトイレットペーパーホルダーはトイレットペーパーの取り出し部分と切断刃分が離れているため、トイレットペーパーの先端部が常に掴みやすい長さの分だけ残り片手で容易にトイレットペーパーの先端を掴むことができる。
【０００８】
また、トイレットペーパーをトイレットペーパーホルダー内に入れるだけですぐに使用できる状態となるため、片手で簡単にトイレットペーパーの取り替えを行うことができ、両手を使う必要もなく、病気や片手が怪我などで思うように動かせない場合でも不便さを感じることなく使用できる。
【発明を実施するための最良の形態】
【０００９】
トイレットペーパーを片手で簡単に引出し切断することができ、また片手で簡単にトイレットペーパーを交換できるトイレットペーパーホルダーという目的を、トイレットペーパーの設置を反対にし引出部分と切断部分に距離をもたせることによって実現した。
【実施例１】
【００１０】
図１は本発明であるトイレットペーパーホルダーの第１実施例の斜視図、図２は本発明であるトイレットペーパーホルダーの第１実施例の分解斜視図である。
【００１１】
図１及び図２に示すように、本発明であるトイレットペーパーホルダー１は、平板をＵ字状に折り曲げ正面側に取出孔２ｂと切断刃２ｃを備え背面側に取付孔２ｅを穿設したＵ字型枠体２ａからなる収納部２と、前記収納部２の右側面に取付けられる右枠体４と、前記収納部２の左側面に取付けられる左側面部５と、前記左右枠体４、５に回動可能に挟持される蓋部３とからなる。
【００１２】
収納部２は平板を折り曲げ、側面より見ると略Ｕ字状となっているＵ字型枠体２ａからなり、Ｕ字型枠体２ａの正面側の先端部は正面に向かって約８９度以下の折返し部２ｄとなっており、先端は切断刃２ｃとなっている。Ｕ字型枠体２ａの正面側中央には大きく取出孔２ｂが穿設されており、この取出孔２ｂより内包されるトイレットペーパーを引き出すことができる。
【００１３】
一方、Ｕ字型枠体２ａの背面側の先端部付近には２つの取付孔２ｅ、２ｅが穿設されている。壁などトイレットペーパーホルダー１を設置する場所に取付具を取付け、その取付具の先端部を取付孔２ｅに引っ掛けることにより、トイレットペーパーホルダー１を取り付けることができる。Ｕ字型枠体２ａに穿設した取付孔２ｅは大小２つの孔を結合した形状の孔となっており、様々な取付具に対応することができる。
【００１４】
右枠体４は、下部が角をなくして丸みを帯びた湾曲部４ｅとなった平板状の右枠体４ａからなり、上辺の背面側には中央に差込孔４ｆを穿設した突出部４ｂを形成している。また右枠体４ａの上辺のうち、半分より正面側は緩やかな傾斜部４ｄとなっており、傾斜部４ｄの中間部には右凹部４ｃを形成している。
【００１５】
左側面部５は、前記右枠体４と同形同大である。即ち、下部が角をなくして丸みを帯びた湾曲部５ｅとなった平板状の左枠体５ａからなり、上辺の背面側には中央に差込孔５ｆを穿設した突出部５ｂを形成し、上辺のうち半分より正面側は緩やかに傾斜部５ｄし、傾斜部５ｄの中間部には左凹部５ｃを形成している。
【００１６】
蓋部３は平板状の蓋３ａからなり、蓋３ａのうち前半分の前面部３ｂは下方に向かって緩やかに傾斜している。蓋３ａの背面側の左右側面には下方に向かって垂直に連結部３ｃ、３ｃが形成されており、連結部３ｃ、３ｃの外側中央には突起３ｄ、３ｄが形成されている。
【００１７】
図２に示すように、前記Ｕ字型枠体２ａの大きく湾曲した形状と、前記左右枠体５ａ、４ａの下部の湾曲部４ｅ、５ｅの形状は同じであり、大きく開いたＵ字型枠体２ａの左右両側面には左右枠体５、４をぴったりと嵌め込むことができる。
【００１８】
左右枠体５、４を収納部２に取り付ける際に、左右枠体５、４の差込孔４ｆ、５ｆに蓋部３の突起３ｄ、３ｄを嵌め込んで左右枠体５、４と蓋部３を回動可能に連結させる。これにより収納部２に蓋をすることができ、図１に示すようなトイレットペーパーホルダー１となる。
【００１９】
図１及び図２に示すように、組み立てられたトイレットペーパーホルダー１内にトイレットペーパー６を設置する際、トイレットペーパー６は先端部を下側から引っ張るように設置する。つまり通常トイレットペーパーは上から引き下ろすように取り付けられているが、本発明の場合は下から引き上げるようにトイレットペーパーを設置する。
【００２０】
このように設置することによって取出孔２ｂと切断刃２ｃの長さに相当するトイレットペーパー６の先端部が常に取出孔２ｂから垂れ下がることとなり、なかなか見つけにくいトイレットペーパー６の先端を容易に掴むことができる。
【実施例２】
【００２１】
図３は本発明であるトイレットペーパーホルダーの第２実施例の斜視図、図４は本発明であるトイレットペーパーホルダーの第２実施例の分解斜視図である。
【００２２】
図３及び図４に示すように、本発明であるトイレットペーパーホルダー１ａは、平板をＵ字状に折り曲げ正面側に取出孔２ｂと切断刃２ｃを備え背面側に取付孔２ｅを穿設したＵ字型枠体２ａからなる収納部２と、前記収納部２の右側面に取付けられる右枠体４と、前記収納部２の左側面に取付けられる左側面部５と、前記左右枠体４、５に回動可能に挟持される蓋部３とからなる。
【００２３】
収納部２は平板を折り曲げ、側面より見ると略Ｕ字状となっているＵ字型枠体２ａからなり、Ｕ字型枠体２ａの正面側の先端部は正面に向かって約８９度以下の折返し部２ｄとなっており、先端は切断刃２ｃとなっている。Ｕ字型枠体２ａの正面側中央には大きく取出孔２ｂが穿設されており、この取出孔２ｂより内包されるトイレットペーパーを引き出すことができる。
【００２４】
一方、Ｕ字型枠体２ａの背面側の先端部付近には２つの取付孔２ｅ、２ｅが穿設されている。壁などトイレットペーパーホルダー１を設置する場所に取付具を取付け、その取付具の先端部を取付孔２ｅに引っ掛けることにより、トイレットペーパーホルダー１を取り付けることができる。Ｕ字型枠体２ａに穿設した取付孔２ｅは大小２つの孔を結合した形状の孔となっており、様々な取付具に対応することができる。
【００２５】
右枠体４は、下部が角をなくして丸みを帯びた湾曲部４ｅとなった平板状の右枠体４ａからなり、上辺の背面側には中央に差込孔４ｆを穿設した突出部４ｂを形成している。また右枠体４ａの上辺のうち、半分より正面側は緩やかな傾斜部４ｄとなっている。
【００２６】
左側面部５は、前記右枠体４と同形同大である。即ち、下部が角をなくして丸みを帯びた湾曲部５ｅとなった平板状の左枠体５ａからなり、上辺の背面側には中央に差込孔５ｆを穿設した突出部５ｂを形成し、上辺のうち半分より正面側は緩やかに傾斜部５ｄしている。
【００２７】
蓋部３は平板状の蓋３ａからなり、蓋３ａのうち前半分の前面部３ｂは下方に向かって緩やかに傾斜している。蓋３ａの背面側の左右側面には下方に向かって垂直に連結部３ｃ、３ｃが形成されており、連結部３ｃ、３ｃの外側中央には突起３ｄ、３ｄが形成されている。
【００２８】
また、前面部３ｂの左右側面に左右張り出し部３ｅ、３ｆを形成しており、蓋部３を摘んで上げる際の出っ張りである。
【００２９】
図４に示すように、前記Ｕ字型枠体２ａの大きく湾曲した形状と、前記左右枠体５ａ、４ａの下部の湾曲部４ｅ、５ｅの形状は同じであり、大きく開いたＵ字型枠体２ａの左右両側面には左右枠体５、４をぴったりと嵌め込むことができる。
【００３０】
左右枠体５、４を収納部２に取り付ける際に、左右枠体５、４の差込孔４ｆ、５ｆに蓋部３の突起３ｄ、３ｄを嵌め込んで左右枠体５、４と蓋部３を回動可能に連結させる。これにより収納部２に蓋をすることができ、図３に示すようなトイレットペーパーホルダー１ａとなる。
【００３１】
図３及び図４に示すように、組み立てられたトイレットペーパーホルダー１ａ内にトイレットペーパー６を設置する際、トイレットペーパー６は先端部を下側から引っ張るように設置する。つまり通常トイレットペーパーは上から引き下ろすように取り付けられているが、本発明の場合は下から引き上げるようにトイレットペーパーを設置する。
【００３２】
このように設置することによって取出孔２ｂと切断刃２ｃの長さに相当するトイレットペーパー６の先端部が常に取出孔２ｂから垂れ下がることとなり、なかなか見つけにくいトイレットペーパー６の先端を容易に掴むことができる。
【００３３】
図５は本発明であるトイレットペーパーホルダーを取り付けた状態を示した側面図である。図５に示すように、トイレットペーパーホルダー１、１ａの収納部２に穿設されている取付孔２ｅ、２ｅに壁７に取り付けた取付具７ａを引っ掛けることによって容易に壁７にトイレットペーパーホルダー１、１ａを設置することができる。
【実施例３】
【００３４】
図６本発明であるトイレットペーパーホルダーの第３実施例の斜視図、図７はトイレットペーパーホルダーの第３実施例の分解斜視図である。
【００３５】
図６及び図７に示すように、本発明であるトイレットペーパーホルダー１ｂは、収納部２と収納部２の開口した上面に開閉可能に取り付けられる蓋部３とからなる。収納部２は下面が大きな湾曲部８ｇとなった箱形をしており、正面８ａには取出孔８ｈが穿設され内包されているトイレットペーパー６を引き出すことができる。
【００３６】
また、収納部２の背面８ｂには２つの取付孔８ｌ、８ｌが穿設されており、壁などに設置した取付具に係止することができる。左側面８ｃの上面のうち、半分より正面８ａ側は緩やかな左傾斜部８ｉとなっており、左側面８ｃのうち、背面８ｂ側には差込孔８ｋを穿設した左突出部８ｅが形成されている。
【００３７】
収納部２の右側面８ｄも前記左側面８ｃと同様の形状をしている。即ち、右側面８ｄの上面のうち、半分より正面８ａ側は緩やかな右傾斜部８ｊとなっており、右側面８ｄのうち、背面８ｂ側には差込孔８ｋを穿設した右突出部８ｆが形成されている。
【００３８】
収納部２の正面８ａの上端は正面に向かって折り返しており、先端は切断刃８ｍとなっている。
【００３９】
図６及び図７に示すように、蓋部３は平板状の蓋３ａからなり、蓋３ａのうち前半分の前面部３ｂは下方に向かって緩やかに傾斜している。蓋３ａの背面側の左右側面には下方に向かって垂直に連結部３ｃ、３ｃが形成されており、連結部３ｃ、３ｃの外側中央には突起３ｄ、３ｄが形成されている。
【００４０】
また、前面部３ｂの左右側面に左右張り出し部３ｅ、３ｆを形成しており、蓋部３を摘んで上げる際の出っ張りである。また、蓋３ａの上面中央には大きな載置部３ｇが設けられている。載置部３ｇは略長方形状の枠が突出した形状をしており、内側は凹部となっている。これにより用を足す際に財布や生理用品を置いておくことができる。
【００４１】
前記蓋部３の突起３ｄ、３ｄを収納部２の差込孔８ｋ、８ｋに回動可能に嵌め込むことで蓋部３は収納部２に取り付けられる。このとき、蓋部３の先端部は収納部２の切断刃８ｍの背面側に乗っかっている。
【実施例４】
【００４２】
図８は本発明であるトイレットペーパーホルダーの第４実施例の斜視図である。図８に示すように、本発明であるトイレットペーパーホルダー１ｃは、前記実施例３で説明したトイレットペーパーホルダー１ｂに載置板９を取り付けたものである。
【００４３】
図８に示すように、トイレットペーパーホルダー１ｃの収納部２の底面に平板状の載置板９を取り付けた。これにより、テーブルの上などに置いて使用することができる。また、机の上などで使用した場合、載置板３ｇに消しゴムなどの文房具を置くこともでき、ちょっとした棚の役割をしている。符号８ｏは段差部、符号８ｎは平坦部である。段差部８ｏから平坦部８ｎと左右傾斜部８ｉ、８ｊと連設されている。
【００４４】
図１から図８に示したトイレットペーパーホルダー１、１ａ、１ｂ、１ｃは収納部２、８内にトイレットペーパー６を取り付ける際に、軸を使用しないため、芯のあるトイレットペーパーでも、芯のないトイレットペーパーでも使用することができる。
【実施例５】
【００４５】
図９は、本発明であるトイレットペーパーホルダーの第５実施例の斜視図である。図９に示すように、本発明であるトイレットペーパーホルダー１ｄは、実施例３で説明したトイレットペーパーホルダー１ｂの取出孔８ｈに制御片１０を取り付けたものである。
【００４６】
前記制御片１０は、取出孔８ｈの幅より若干狭く中央に凹部１０ａを形成し、上部には貼付部１０ｂを備えている。貼付部１０ｂは制御片１０より幅を狭くし、更に上部の幅を狭くした２段とし鏡餅のような形状をしている。
【００４７】
前記制御片１０の貼付部１０ｂを収納部８の正面８ａ裏面に貼り付け、制御片１０を取出孔８ｈの位置に合わせて固定する。トイレットペーパー６は制御片１０の下側から引出して使用する。
【００４８】
トイレットペーパー６は前記制御片１０により制御されているため、引き出したトイレットペーパー６を上方に引き上げて切断刃８ｍで切断する際には、制御片１０がトイレットペーパーを押さえた状態になっており、両手を使用しなくても片手で簡単にかつ綺麗にトイレットペーパーを切り取ることができる。また、制御片１０によるトイレットペーパー６の制御は、トイレットペーパー６の残りが少ない状態であっても発揮されるので、最後までトイレットペーパー６を綺麗に切り取ることが可能である。
【００４９】
トイレットペーパー６が途中で切断された場合であっても、制御片１０の中央には指を挿入してトイレットペーパー６を掴みやすいように凹部１０ａが形成されているため、片手で簡単にトイレットペーパー６を引き出すことができる。
【００５０】
尚、前記貼付部１０ｂの形状は特に限定したものではなく、収納部８の正面８ａ裏面から制御片１０を安定して取り付けることができる形状であればよいものとする。
【実施例６】
【００５１】
図１０は本発明であるトイレットペーパーホルダーの第６実施例の斜視図である。図１０に示すように、本発明であるトイレットペーパーホルダー１ｅは、実施例４で示したトイレットペーパーホルダー１ｄをＬ字板１１の起立部１１ｂ上部に取り付け、水平部１１ｃに引出部１２ａを備えた箱１２を取り付けたものである。尚、引出部１２ａの正面には取っ手１２ｂが取り付けられている。
【００５２】
前記Ｌ字板１１の起立部１１ｂと水平部１１ｃの接合部分は固定金具１１ａが取り付けられており、Ｌ字板１１の補強をしている。
【００５３】
以上のようにＬ字板１１にトイレットペーパーホルダーと、引出部１２ａを備えた箱１２を取り付けたことにより、机やテーブルの上などのトイレットペーパーホルダーを取り付ける壁のない場所でも使用することができる。  
【図面の簡単な説明】
【００５４】
【図１】本発明であるトイレットペーパーホルダーの第１実施例の斜視図である。
【図２】本発明であるトイレットペーパーホルダーの第１実施例の分解斜視図である。
【図３】本発明であるトイレットペーパーホルダーの第２実施例の斜視図である。
【図４】本発明であるトイレットペーパーホルダーの第２実施例の分解斜視図である。
【図５】本発明であるトイレットペーパーホルダーを取り付けた状態を示した側面図である。
【図６】本発明であるトイレットペーパーホルダーの第３実施例の斜視図である。
【図７】本発明であるトイレットペーパーホルダーの第３実施例の分解斜視図である。
【図８】本発明であるトイレットペーパーホルダーの第４実施例の斜視図である。
【図９】本発明であるトイレットペーパーホルダーの第５実施例の斜視図である。
【図１０】本発明であるトイレットペーパーホルダーの第６実施例の斜視図である。
【符号の説明】
【００５５】
１      トイレットペーパーホルダー
１ａ    トイレットペーパーホルダー
１ｂ    トイレットペーパーホルダー
１ｃ    トイレットペーパーホルダー
１ｄ    トイレットペーパーホルダー
１ｅ    トイレットペーパーホルダー
２      収納部
２ａ    Ｕ字型枠体
２ｂ    取出孔
２ｃ    切断刃
２ｄ    折返し部
２ｅ    取付孔
３      蓋部
３ａ    蓋
３ｂ    前面部
３ｃ    連結部
３ｄ    突起
３ｅ    左張り出し部
３ｆ    右張り出し部
３ｇ    載置部
４      右側面部
４ａ    右枠体
４ｂ    突出部
４ｃ    右凹部
４ｄ    傾斜部
４ｅ    湾曲部
４ｆ    差込孔
５      左側面部
５ａ    左枠体
５ｂ    突出部
５ｃ    左凹部
５ｄ    傾斜／傾斜部
５ｅ    湾曲部
５ｆ    差込孔
６      トイレットペーパー
７      壁
７ａ    取付具
８      収納部
８ａ    正面
８ｂ    背面
８ｃ    左側面
８ｄ    右側面
８ｅ    左突出部
８ｆ    右突出部
８ｇ    湾曲部
８ｈ    取出孔
８ｉ    左傾斜部
８ｊ    右傾斜部
８ｋ    差込孔
８ｌ    取付孔
８ｍ    切断刃
８ｎ    平坦部
８ｏ    段差部
９      載置板
１０      制御片
１０ａ    凹部
１０ｂ    貼付部
１１      Ｌ字板
１１ａ    固定金具
１１ｂ    起立部
１１ｃ    水平部
１２      箱
１２ａ    引出部
１２ｂ    取っ手
【図１】
2007160070.tif 000003
【図２】
2007160070.tif 000004
【図３】
2007160070.tif 000005
【図４】
2007160070.tif 000006
【図５】
2007160070.tif 000007
【図６】
2007160070.tif 000008
【図７】
2007160070.tif 000009
【図８】
2007160070.tif 000010
【図９】
2007160070.tif 000011
【図１０】
2007160070.tif 000012